(57)【特許請求の範囲】
【請求項１】
筐体により囲われた内部には側面から入光した光源部からの光によって正面側に発光する 絵、文字又記号を表示する表示板と、
前記表示板を複層して設け、且つ複層した前記表示板を複数配列した表示部と、
表示装置の近傍の環境を検出する環境検出部と、を備え、
前記環境検出部は、人が表示装置への接近を検出する人感検出部を備え、
人が近づくに従って表示態様の種類を多く表示する制御部を備えたことを特徴とする表示装置。 
【請求項２】
複層した前記表示板を上下及び左右に複数配列した表示部を備えたことを特徴とする請求項１に記載の表示装置。
【発明の詳細な説明】
【技術分野】
【０００１】
本発明は、広告や案内等を行う看板に利用され表示内容を変化させることにより告知内容を高める表示装置に関する。
【背景技術】
【０００２】
従来から広告又は案内する看板は、壁面等に設けられており、複数の内容を視認性がよく安価で且つランニングコストが低い告知又は案内する表示態様の看板が多々提案されてきている。
例えば、特許文献１には、複数の透明又は略透明の本体が集合された内部に光輝描画部を有する集合透明体において、前記複数の透明又は略透明の本体の一部又は全部は、該本体を貫通する直線の集合体よりなる任意形態の描画部が形成された本体と、前記貫通する直線と平行する本体の面から光を入射する光源とを具備する描画透明体ユニットが開示されている。また、特許文献１には前記内部に光輝描画部を有する集合透明体が、移動体接近感知センサーとスピーカーを具備しており、前記移動体接近センサーが移動体の接近を感知したことに伴い、前記スピーカーまたは前記光源とスピーカーを選択的に作動させる描画透明体ユニットが開示されている。
【先行技術文献】
【特許文献】
【０００３】
【特許文献１】特開２００２−２４４５９６号公報
【発明の開示】
【発明が解決しようとする課題】
【０００４】
しかしながら、従来の装置では、移動体の接近にともない表示態様や音声による告知態様を変化させているものの２種類の表示しかできず、案内や告知の表示態様が乏しく、遠くからの接近に伴い表現を変化させることは困難であった。
また、従来の装置では、薄型にするために、発光する表示板を密着させて設けており、表示板が、発光する際に、表示板の発光が他の表示板に映り込んでしまい表示内容が見にくいという問題もあった。
【０００５】
本発明は、薄型にしながらも表示態様が多様に変化させることができ、表示の内容が見やすい表示装置を提供することにある。
【課題を解決するための手段】
【０００６】
筐体により囲われた内部には側面から入光した光源部からの光によって正面側に発光する絵、文字又記号を表示する表示板と、前記表示板を複層して設け、且つ複層した前記表示板を複数配列した表示部と、を備え、人が表示装置への接近を検出する検出部と、人が接近する距離に応じて前記表示部の表示態様を変化させる制御部とを備えたこととを特徴とする。
【発明の効果】
【０００７】
以上の特徴により、人が近づくに従って表示態様を変化させることで、与える印象が強くなり注目させる表示装置が実現できる。また薄型でありながら見やすい表示装置とすることもできる。
【図面の簡単な説明】
【０００８】
【図１】実施形態の表示装置の全体を正面側から見た斜視図である。
【図２】実施形態の表示装置の全体を背面側から見た斜視図である。
【図３】実施形態の表示装置を分解した際の部品を表した正面側から見た斜視図である。
【図４】実施形態の表示装置を分解した際の部品の一部を拡大して表した正面側から見た斜視図である。
【図５】実施形態の表示装置を分解した際の部品の一部を拡大して表した拡大図である。
【図６】実施形態の表示装置の部品の一部を拡大して表した拡大図である。
【図７】実施形態の表示装置の表示態様を表した表示板の概要図である。
【図８】実施形態の表示装置の表示態様を表した表示板の概要図である。
【図９】実施形態の表示装置の表示態様を表した表示板の概要図である。
【図１０】実施形態の表示装置の表示態様の制御を表すフローチャートである。
【図１１】実施形態の表示装置の表示態様の遷移を表す説明図である。
【図１２】実施形態の表示装置の表示態様の遷移を表す説明図である。
【図１３】実施形態の表示装置の表示態様の表示内容の説明図である。
【図１４】実施形態の表示装置の表示態様の表示内容の説明図である。
【図１５】実施形態の表示装置の制御部のブロック図である。
【図１６】実施形態の表示装置の表示態様を表す概要図である。
【図１７】実施形態の表示装置の表示態様を表す概要図である。
【図１８】実施形態の表示装置の表示態様を表す概要図である。
【発明を実施するための形態】
【０００９】
本発明にかかる表示装置について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００１０】
図１乃至図６を参照して、表示装置１の構造を説明する。図１は、実施形態の表示装置１の全体を正面側から見た斜視図である。図２は、実施形態の表示装置１の全体を背面側から見た斜視図である。図３は、実施形態の表示装置１を分解した際の部品を表した正面側から見た斜視図である。図４は、実施形態の表示装置１を分解した際の部品の一部を拡大して表した正面側から見た斜視図である。図５は、実施形態の表示装置１を分解した際の部品の一部を拡大して表した拡大図である。図６は、実施形態の表示装置１の部品の一部を拡大して表した拡大図である。
【００１１】
図１乃至図６に示すように表示装置１は、主に筐体部１０、背面被覆部２０と、表示部５０及び光源部６０から構成されている。筐体部１０は、断面がコの字状にアルミ材によって形成された骨組部１１により内部に設けられた表示部５０等を被うように四角形状の骨組みが形成されている。骨組部１１同士は、略Ｌ字状の連結金具１２に設けられた締結孔１４と骨組部１１に設けられた固定孔１３とを一致させビス１５により締結して固定される。図６は、図１及び図２に示すＫの部分を拡大した図である。表示装置１の背面には背面被覆部２０が設けられ、四角形状の骨組みとして補強用の木枠フレーム２１が木材で形成されている。その木枠フレーム２１間には、木材で形成した平坦な平板２２で木枠フレーム２１の間を被っている。
【００１２】
次に、表示部５０は、表示板５１、表示板５２及び表示板５３と３層になっており、更に複層の状態でマス目状に配置された６組の構成（ＡからＦ）となっており、合計１８枚の表示板（５１Ａから５３Ｆ）で構成されている。このような構成によって、コンパクトでありながら多彩な演出が可能な表示装置１となっている。表示板５１（ＡからＦ）・５２（ＡからＦ）・５３（ＡからＦ）は、厚さ約５ｍｍのアクリル材に、表示態様をレーザー光やバイトによる彫刻によって後述する絵、模様又は文字が施して板状を形成している。表示部５０は、光源部６０からの光を表示板５１（ＡからＦ）・５２（ＡからＦ）・５３（ＡからＦ）の側面から各の表示板５１（ＡからＦ）・５２（ＡからＦ）・５３（ＡからＦ）に入光し、入光した光が彫刻した絵、模様又は文字が拡散又は反射し表示装置１の表面から彫刻した絵、模様又は文字が視認することができるようになっている。
尚、これらは凹状に形成したがシルク印刷やシート貼り等の凸状の拡散又は反射面であっても良く、視認し易い構成であれば特に実施例に限定されるものではない。
【００１３】
更に、表示部５０は、背面の背面被覆部２０との間に、発光色の濃淡を目立たせると共に緩衝材としての機能を果たすための黒色のスポンジ材で形成した背面部材４０が、表示部５０の背面側を被うように配置されている。また、表示部５０の正面には、表示部５０の反射を避けると共に発光色を目立たせるために透過可能なスモーク懸かった保護板３０が配置されている。このような構成によって、保護板３０は、発光色を引き立たせて表示態様を見やすくしている。  
また、表示部５０は、この表示板５１（ＡからＦ）・５２（ＡからＦ）・５３（ＡからＦ）の間にあり、表示板５１（ＡからＦ）・５２（ＡからＦ）・５３（ＡからＦ）の光源部６０側の一片の縁に黒色のスポンジ材を配置した間隙材４１が設けられている。この間隙材４１は、表示板５１（ＡからＦ）・５２（ＡからＦ）・５３（ＡからＦ）に入光される光が、他の表示板５１（ＡからＦ）・５２（ＡからＦ）・５３（ＡからＦ）への漏れる光を遮蔽して光の混入を防ぐと共に表示板５１（ＡからＦ）・５２（ＡからＦ）・５３（ＡからＦ）間の緩衝材としての機能も果たしている。このようにして、間隙材４１は、表示板５１（ＡからＦ）・５２（ＡからＦ）・５３（ＡからＦ）間の間隔を設けることや遮蔽ができることにより光の混入だけでなく、表示板５１（ＡからＦ）・５２（ＡからＦ）・５３（ＡからＦ）の傷防止や誇り等の進入も防止している。
【００１４】
表示板５１（ＡからＦ）・５２（ＡからＦ）・５３（ＡからＦ）の各の側面には白色の反射材４２が設けられており、光源部６０から入光した光を反射材４２により表示板５１（ＡからＦ）・５２（ＡからＦ）・５３（ＡからＦ）の内部に反射させるものである。
また、表示板５１（ＡからＦ）、５２（ＡからＦ）及び５３（ＡからＦ）は、両面接着材４３により接着されており、表示板５１は、ＡからＦの各表示板５１が接着され１つの表示面を構成し、表示板５２も、ＡからＦの各表示板５２が接着され１つの表示面を構成し、表示板５３も、ＡからＦの各表示板５３が接着され１つの表示面を構成している。
両面接着材４は、黒色のクッション材の両面に接着面があり、透過しない黒色で構成することで他の表示板５１（ＡからＦ）・５２（ＡからＦ）・５３（ＡからＦ）に光を漏らさないようにする機能も備えている。
【００１５】
次に、光源部６０は、フルカラーを発光するＬＥＤを基板に配置したＬＥＤ基板６２と、放熱を考慮してアルミ材でコ字状に形成したアルミフレーム６１とで構成されている。光源部６０は、表示部５０の上下に配置されており、表示板５１（ＡからＦ）・５２（ＡからＦ）・５３（ＡからＦ）の側面からＬＥＤの光を入光させている。
ＬＥＤ基板６２は、ＤＣ１２ＶやＤＣ２４Ｖの電源によってＬＥＤを発光させており、後述する背面被覆部２０の背面に取り付けられる制御部７０（図２に示す）と集中配線７３を介して接続されている。集中配線７３は、各ＬＥＤ基板６２に接続される後述する各配線７４（図１５に示す）を一括して束ねている。
また、ＬＥＤ基板６２の各が、各のアルミフレーム６１に収納されている。更に、表示板５１（ＡからＦ）・５２（ＡからＦ）・５３（ＡからＦ）とアルミフレーム６１との隙間に設けられた遮蔽材６３は、スポンジ材を敷設して設けられ、他の表示板５１（ＡからＦ）・５２（ＡからＦ）・５３（ＡからＦ）への光の混入を防ぐと共に緩衝材としての役目を果たしている。
発光部６０は、ＬＥＤに限定することもなく冷陰極管や有機ＥＬや放電管等も考えられる。
【００１６】
そして、これら保護板３０と、背面被覆部２０の平板２２と、表示部５０と、背面部材４０及び光源部６０の一部又は全部が、骨組部１１の中に納められ、四隅を連結金具１２によって締結することで表示装置１が一体的に形成される。このように表示装置１は、一体的に形成されるため薄型に形成が可能であり、壁面などに取り付けても突出部が少なくスペースをとらない構造となる。
【００１７】
次に、図７乃至図１８を参照して、制御部７０（図２に示す）及び制御基板７１によって表示部５０を制御する方法について説明する。図７は、実施形態の表示装置１の表示態様を表した表示板５１の概要図である。図８は、実施形態の表示装置１の表示態様を表した表示板５２の概要図である。図９は、実施形態の表示装置１の表示態様を表した表示板５３の概要図である。図１０は、実施形態の表示装置１の表示態様の制御を表すフローチャートである。図１１及び図１２は、実施形態の表示装置１の表示態様の遷移を表す説明図である。図１３及び図１４は、実施形態の表示装置１の表示態様の表示内容の説明図である。図１５は、実施形態の表示装置１の制御部のブロック図である。図１６、図１７及び図１８は、実施形態の表示装置の表示態様を表す概要図である。
【００１８】
図７乃至図９に示す概要図は、表示部５０に絵、模様又は文字が表示される表示態様を表している。表示部５０の表示板５１（ＡからＦ）・５２（ＡからＦ）・５３（ＡからＦ）は、全て異なる表示態様が記載されている。
図７は、表示部５０の最も正面に配置される６枚の表示板５１Ａから５１Ｆに彫刻されている表示態様がＬＥＤの発光によって表示されている。この表示態様は、フルカラーを発光するＬＥＤによって色を単色で又は発光色を変化させて表示させることが可能である。
図８は、表示部５０の中間に配置される６枚の表示板５２Ａから５２Ｆに彫刻されている表示態様がＬＥＤの発光によって表示されている。この表示態様は、フルカラーを発光するＬＥＤによって色を単色で又は発光色を変化させて表示させることが可能である。
図９は、表示５０の最も背面に配置される６枚の表示板５３Ａから５３Ｆに彫刻されている表示態様がＬＥＤの発光によって表示されている。この表示態様は、フルカラーを発光するＬＥＤによって色を単色で又は発光色を変化させて表示させることが可能である。
【００１９】
次に、図１５に示すブロック図によって制御部７０（図２に示す）を説明する。制御基板７１は、交流１００Ｖの商用電源又はＤＣ２４又はＤＣ１２Ｖを電源として駆動している。制御基板７１は、ＬＥＤ基板６２に配線７４を介して接続されている。また、光源部６０は、上述したようにフルカラーで発光するＬＥＤのＲＧＢを制御基板７１で制御することによって発光色が変化する。
また、制御基板７１には、赤外線、超音波、レーザー又はカメラ等によって構成され、人が接近する距離を２段階で検知する人感センサ１（７２ａ）及び人感センサ２（７２ｂ）が接続されている。焦電式の赤外線を使用した人感センサ２（７２ｂ）により、人が近づくことを８０００ｍｍの距離で、且つ扇状に検出するエリアを広範囲に広げて検知している。また、人感センサ１（７２ａ）は、８００ｍｍの距離に人が進入したことを検出する近赤外反射方式の赤外線センサを採用している。
以上のように、距離にあった検出方法を使用することによって誤作動なく検出が可能となる。表示装置１は、検出する距離に応じて様々な方式のセンサを選択することにより正確な検出を行うことができる。
【００２０】
尚、検出部は、その他に環境センサとして、照度に反応して表示を変更する照度センサを使用して、例えば昼と夜とで表示を変更させたり、また温度に反応して表示を変更する温度センサにより、気温や環境により表示を変更させたりしても良い。
【００２１】
次に、図１０に示すフローチャートに従って制御基板７１で制御する表示態様を図１１乃至図１８の説明図等を使用して表す。
図１１及び図１２は、表示部５０の表示板５１（ＡからＦ）・５２（ＡからＦ）・５３（ＡからＦ）の表示箇所を示しており、制御が始まれば順番に表示箇所が遷移する様子が遷移図に示されている。また、図１３及び図１４は、演出表７５を表している。演出表７５の欄７６は、表示部５０が表示される順番を表し、上欄７７は表示部５０の表示板５１（ＡからＦ）・５２（ＡからＦ）・５３（ＡからＦ）の表示箇所を示している。また演出表７５の下欄７８は表示部５０の表示板５１（ＡからＦ）・５２（ＡからＦ）・５３（ＡからＦ）が表示される配色を示している。これら演出表７５に従って光源部６０を、制御部７０は以下に示すフローチャートに従って制御する。
【００２２】
先ず電源を投入し、制御が始まると（Ｓ１）、近距離の人感センサ１（７２ａ）が人を検知したか否かを判断する。すなわち、人が表示装置１の近距離に進入していないと判断した場合には（Ｓ２の非検知）、遠距離の人感センサ２（７２ｂ）が検知したか否かを判断する（Ｓ３）。また、人が表示装置１の遠距離にも進入していないと判断した場合（Ｓ３の非検知）、待機動作となり図１１の遷移図及び図１３の演出表７５の「ｓｔａｙ」に示すように「１」及び「２」の動作を交互に約１秒間隔で繰り返し、文字で注意喚起を行う。
例えば、始めに表示板５１Ｂ「まわりをみないと」及び表示板５３Ｃ「あぶないよ！」を白色により表示し、次に約１秒後に表示板５２Ｂ「はしると」及び表示板５３Ｂ「あぶないよ！」を白色により表示する。
【００２３】
次に、人が表示装置１の近距離に進入していないと判断した場合（Ｓ２の非検知）であって、人が遠距離に進入したと判断した場合（Ｓ３の検知）、表示部５０はｒｕｎ１．１に示す動作を表示する（Ｓ５）。例えば、始めに表示板５１Ｃ及び表示板５１Ｄは、指定した図１３に示す配色により表示し、次に約１秒後に表示板５２Ｃ及び表示板５３Ｄは、図１３に示す配色により表示する。
【００２４】
また、ｒｕｎ１．１（Ｓ５）の後、人が表示装置１の近距離に進入していないか否かを判断し（Ｓ６）、人が表示装置１の近距離に進入していない場合（Ｓ６の非検知）、人が表示装置１の遠距離に進入していないか否かを判断する（Ｓ８）。そして、人が表示装置１の遠距離に進入した場合（Ｓ８の検知）、表示部５０はｒｕｎ１．２に示す動作を表示する（Ｓ９）。例えば、始めに表示板５１Ｃ、表示板５１Ｄ及び表示板５１Ｆは、図１３に示す配色により表示し、次に約１秒後に表示板５３Ａ、表示板５２Ｃ及び表示板５３Ｄは、図１３に示す配色により表示する。また、ｒｕｎ１．２（Ｓ９）に示す動作の終了後は、制御部７０はｒｕｎ１．１（Ｓ５）に戻る制御を行う。
また、Ｓ８において人が表示装置１の遠距離にも進入していないと判断した場合（Ｓ８の非検知）、人が表示装置１の近距離に進入していないか否かの最初の判断に戻る（Ｓ２）。
【００２５】
次に、人が表示装置１の近距離に進入したと判断した場合（Ｓ２の検知）又はｒｕｎ１．１に示す動作後に人が表示装置１の近距離に進入したと判断した場合（Ｓ６の検知）、前回の動きを確認する（Ｓ７）。前回と異なる動きとするため前回がｒｕｎ２．２の場合には（Ｓ７の前回ｒｕｎ２．２）、表示部５０はｒｕｎ２．１に示す動作を表示する（Ｓ１０）。また前回がｒｕｎ２．１の場合には（Ｓ７の前回ｒｕｎ２．１）、表示部５０はｒｕｎ２．２に示す動作を表示する（Ｓ１１）。
【００２６】
例えば、図１６乃至図１７にｒｕｎ２．１の表示態様を示しており、（ａ）乃至（ｋ）の順番に約１秒間隔で遷移する表示部５０は、物語となった表示態様で表示され、図１３に示す配色により表示される。
このように表示態様を物語風に表示することで、人に与える印象は強く表示部５０に目を引く表示となる。また、前回と異なる表示態様（Ｓ７）とすることで、更に与える印象が強くなり注目させる表示部５０となる。特に子供等に注目させる表示部５０が得られる。
そして、ｒｕｎ２．１及びｒｕｎ２．２の動作の終了後は、人が表示装置１の近距離に進入していないか否かの最初の判断に戻る（Ｓ２）。
【００２７】
以上のように、待機動作からｒｕｎ１．１、ｒｕｎ１．２、ｒｕｎ２．１及びｒｕｎ２．２に示すように、人が近づくに従って表示態様の種類が増えていく。このように物語だけでなく人が近づくに従って表示態様の種類を増やすことで、与える印象が強くなり注目させる表示部５０が実現できる。
【００２８】
（技術的特徴）
以下に本実施形態の技術的特徴点の一例を括弧に内に示すが、特に限定するものでもなく例示しているものであり、これら特徴から考えられる効果についても記載する。
【００２９】
＜第１の特徴点＞
筐体（例えば、主に筐体部５０）により囲われた内部には側面から入光した光源部（例えば、主に光源部６０）からの光によって正面側に発光する絵、文字又記号を表示する表示板（例えば、主に表示板５１（ＡからＦ）・５２（ＡからＦ）・５３（ＡからＦ））と、
前記表示板を複層して設け、且つ複層した前記表示板を複数配列した表示部と、を備え、
表示装置の近傍の環境を検出する環境検出部（例えば、主に人感センサ７２ａ・７２ｂ、環境センサ（照度センサ、気温センサ）、）と、前記環境検出部の環境に応じて前記表示部の表示態様を変化させる制御部（例えば、主に制御部７０）とを備えたことを特徴とする。
【００３０】
以上の特徴により、環境に応じて表示態様を変化させることで、与える印象が強くなり注目させる表示装置が実現できる。また薄型でありながら見やすい表示装置とすることもできる。
【００３１】
＜第２の特徴点＞
前記環境検出部は、人が表示装置への接近を検出する人感検出部（（例えば、主に人感センサ７２ａ・７２ｂ）と、人が接近する距離に応じて前記表示部の表示態様を変化させる前記制御部と、を備えたことを特徴とする。
以上の特徴により、人が近づくに従って表示態様を変化させることで、与える印象が強くなり注目させる表示装置が実現できる。また薄型でありながら見やすい表示装置とすることもできる。
【００３２】
＜第３の特徴点＞
前記人感検出部は、人が近接したことを検出する第１の人感センサ（例えば、主に人感センサ７２ａ）と、人が遠方に進入したことを検出する第２の人感センサ（例えば、主に人感センサ７２ｂ）と、を備えたことを特徴とする。
以上の特徴により、人が近づくに従って表示態様を変化させることで、与える印象が強くなり注目させる表示装置が実現できる。また薄型でありながら見やすい表示装置とすることもできる。
【００３３】
＜第４の特徴点＞
人が近接したことを検出した場合に、前回表示した内容とは異なる表示態様を表示する前記制御部（例えば、主に制御部７０、Ｓ７の処理）を備えたことを特徴とする。
以上の特徴により、与える印象が強くなり注目させることができ、特に物語となる演出が可能であり注目させる表示装置が得られる。
【００３４】
＜第５の特徴点＞
人が近づくに従って表示態様の種類を多く表示する前記制御部（例えば、主に制御部７０、Ｓ７、Ｓ５、Ｓ９、Ｓ１０、Ｓ１１の処理）を備えたことを特徴とする。
以上の特徴によって、人が近づくに従って表示態様の種類が増えていく。このように物語だけでなく人が近づくに従って表示態様の種類を増やすことで、与える印象が強くなり注目させる表示装置が実現できる。
【００３５】
＜第６の特徴点＞
前記光源部は、他の表示板との間隔を設けると共に光源部と表示板との隙間を埋める遮蔽部（例えば、主に遮蔽材６３）を備えたことを特徴とする。
以上の特徴によって、
【産業上の利用可能性】
【００３６】
屋外や屋内の商業施設の広告看板だけでなく駅・バスの案内表示や図書館や美術館等の案内表示にも利用が可能である。
【符号の説明】
【００３７】
１…表示装置、１０…筐体部、１１…骨組部、１２…連結金具、１３…固定孔、
１４…締結孔、１５…ビス、
２０…背面被覆部、
３０…保護板、
４０…背面部材、４１…間隙材、４２…反射材、４３…両面接着材
５０…表示部、５１・５２・５３…表示板、
６０…光源部、６１…アルミフレーム、６２…ＬＥＤ基板、６３…遮蔽材、
７０…制御部、７１…制御基板、７２ａ・７２ｂ…人感センサ、７３…集中配線、
７４…配線。
【図１】
0006695633.tif 000002
【図２】
0006695633.tif 000003
【図３】
0006695633.tif 000004
【図４】
0006695633.tif 000005
【図５】
0006695633.tif 000006
【図６】
0006695633.tif 000007
【図７】
0006695633.tif 000008
【図８】
0006695633.tif 000009
【図９】
0006695633.tif 000010
【図１０】
0006695633.tif 000011
【図１１】
0006695633.tif 000012
【図１２】
0006695633.tif 000013
【図１３】
0006695633.tif 000014
【図１４】
0006695633.tif 000015
【図１５】
0006695633.tif 000016
【図１６】
0006695633.tif 000017
【図１７】
0006695633.tif 000018
【図１８】
0006695633.tif 000019